(57)【要約】【課題】コネクタの意図しない離脱を防止しつつ高密度実装を可能とするコネクタの引き抜き治具を提供する。【解決手段】光レセプタクルに係合するロックレバー３０と、ロックレバー３０を内側に押し下げる操作部３１とを有する光コネクタ１０を、光レセプタクルから取り外す際に、光コネクタ１０に装着される引き抜き治具４１であって、光コネクタ１０への装着によって操作部３１に摺接しながら操作部３１を押下するテーパ面部５１と、テーパ面部５１と対向する位置に設けられてテーパ面部５１による操作部３１の押下時の反力を光コネクタ１０に接触して支える受け部４４ａと、光コネクタ１０の光レセプタクルに対する挿抜方向に沿って形成されて光コネクタ１０から延びる光ファイバケーブル１１が挿通可能なスリット５５とを備える。【選択図】図１
2013007938.tif 000002
【特許請求の範囲】
【請求項１】
レセプタクルに係合するロックレバーと、前記ロックレバーを内側に押し下げる操作部とを有するコネクタを、前記レセプタクルから取り外す際に、前記コネクタに装着されるコネクタの引き抜き治具であって、
前記コネクタへの装着によって前記操作部に摺接しながら前記操作部を押下するテーパ面部と、前記テーパ面部と対向する位置に設けられて前記テーパ面部による前記操作部の押下時の反力を前記コネクタに接触して支える受け部と、前記コネクタの前記レセプタクルに対する挿抜方向に沿って形成されて前記コネクタから延びるコードが挿通可能なスリットとを備えることを特徴とするコネクタの引き抜き治具。
【請求項２】
請求項１に記載のコネクタの引き抜き治具であって、
前記コネクタへの装着によって前記コネクタの外面に形成された突起に係合し、前記コネクタの前記レセプタクル側への移動を規制する係合爪を有することを特徴とするコネクタの引き抜き治具。
【請求項３】
請求項１または２に記載のコネクタの引き抜き治具であって、
前記コネクタへの装着側と反対側に、前記コネクタが取り外される開口部を有することを特徴とするコネクタの引き抜き治具。
【請求項４】
請求項１から３の何れか一項に記載のコネクタの引き抜き治具であって、
前記コネクタの前記レセプタクルからの取り外し方向へ延在する把持部を有することを特徴とするコネクタの引き抜き治具。
【発明の詳細な説明】
【技術分野】
【０００１】
本発明は、レセプタクルに接続されたコネクタを引き抜く際に用いられるコネクタの引き抜き治具に関する。
【背景技術】
【０００２】
例えば、配線盤等に設けられたレセプタクルに接続されるコネクタは、レセプタクルとの接続状態を維持するために、レセプタクルに係合するロックレバーを有している。また、コネクタは、ロックレバーを押下してレセプタクルとの係合を解除させる操作部を備えており、作業者は、コネクタをレセプタクルから外す際に、操作部を押下しながらコネクタを把持してレセプタクルから引き抜くこととなる。したがって、レセプタクルの周囲には、作業者が操作部を押下しながらコネクタを把持することが可能なスペースを確保しておく必要がある。
【０００３】
近年では、高密度通信のために光通信が用いられているが、このような光通信に用いられる光コネクタにおいて、光レセプタクルとの接続箇所の周囲に大きな作業スペースを確保すると、配線盤等における高密度実装ができず、高密度通信が困難となる。
このため、光コネクタの周囲に支障物品が配置されていても、光コネクタをアダプタ又は光送受信モジュール等の相手側から直ちに、かつ、簡便にロック解除することができる光コネクタのロック解除装置が考えられている（例えば、特許文献１参照）。
【０００４】
この光コネクタのロック解除装置では、光コネクタは、ハウジングの本体部と、ハウジングの本体部と一体に形成され、かつ、相手側との嵌合状態をロックされる被ロック部が設けられたロックレバーと、ハウジングに嵌合離脱方向にスライド可能に保持されるスライドカバーとを有する。ロックレバーは、被ロック部のロック解除を行うために被操作部を有し、かつ、スライドカバーの操作方向と直交する方向に弾性変形する。スライドカバーは、ハウジングにスライド可能に保持される本体部と、本体部から離脱方向に延設された操作部とを有し、スライドカバーの本体部は、ロックレバーの被操作部と当接して操作する当接部を有する。スライドカバーの操作部を離脱方向に操作すると、当接部がロックレバーの被操作部を操作して被ロック部のロック解除を行い、かつ、光コネクタが相手側から離脱する。
【先行技術文献】
【特許文献】
【０００５】
【特許文献１】特許第３８６９４１１号公報
【発明の概要】
【発明が解決しようとする課題】
【０００６】
ところが、上記の装置は、レセプタクルとの接続状態でスライドカバーの操作部がコネクタの後方に突出しているため、この操作部に配線を引っ掛けるおそれがある。配線が操作部に引っ掛かると、操作部がコネクタの後方である離脱方向に引っ張られ、コネクタがレセプタクルから意図せず離脱し、通信不良や装置の動作に不具合を発生させる場合がある。
【０００７】
本発明の目的は、コネクタの意図しない離脱を防止しつつ高密度実装を可能とするコネクタの引き抜き治具を提供することにある。
【課題を解決するための手段】
【０００８】
上記課題を解決することのできる本発明のコネクタの引き抜き治具は、レセプタクルに係合するロックレバーと、前記ロックレバーを内側に押し下げる操作部とを有するコネクタを、前記レセプタクルから取り外す際に、前記コネクタに装着されるコネクタの引き抜き治具であって、
前記コネクタへの装着によって前記操作部に摺接しながら前記操作部を押下するテーパ面部と、前記テーパ面部と対向する位置に設けられて前記テーパ面部による前記操作部の押下時の反力を前記コネクタに接触して支える受け部と、前記コネクタの前記レセプタクルに対する挿抜方向に沿って形成されて前記コネクタから延びるコードが挿通可能なスリットとを備えることを特徴とする。
【０００９】
本発明のコネクタの引き抜き治具において、前記コネクタへの装着によって前記コネクタの外面に形成された突起に係合し、前記コネクタの前記レセプタクル側への移動を規制する係合爪を有することが好ましい。
【００１０】
本発明のコネクタの引き抜き治具において、前記コネクタへの装着側と反対側に、前記コネクタが取り外される開口部を有することが好ましい。
【００１１】
本発明のコネクタの引き抜き治具において、前記コネクタの前記レセプタクルからの取り外し方向へ延在する把持部を有することが好ましい。
【発明の効果】
【００１２】
本発明によれば、引き抜き治具をコネクタに装着するだけで、ロックレバーの操作部がテーパ面部によって押下され、レセプタクルに対するロックレバーの係止が解除される。このとき、テーパ面部が操作部を押下する際の反力は、受け部がコネクタに接触して支えるので、操作部の押下が確実に行われる。このように、引き抜き治具を用いれば、ロックレバーの操作部を指で押下する必要がないので、レセプタクルの周囲に、作業者がロックレバーの操作部を押下しながらコネクタを把持するためのスペースを確保する必要がなくなり、高密度実装が可能である。
【００１３】
しかも、この引き抜き治具は、コネクタをレセプタクルから引き抜くときだけに装着するものであるので、引き抜き治具が予めコネクタに装着されているものと比較して、誤って引き抜き治具が配線に引っ掛かり、引き抜き治具によってコネクタがレセプタクルから意図せず離脱して通信不良や装置の動作に不具合が生じるようなこともない。つまり、必要なときだけにコネクタに対して装着し、レセプタクルとの係合状態を容易に解除させ、レセプタクルから容易に取り外すことができる。
【図面の簡単な説明】
【００１４】
【図１】本発明の実施形態に係る引き抜き治具及び引き抜き治具によって引き抜かれる光コネクタの斜視図である。
【図２】図１の引き抜き治具の縦断面図である。
【図３】図１の引き抜き治具を下方側から見た水平方向の断面図である。
【図４】図１の引き抜き治具を上方側から見た水平方向の断面図である。
【図５】光コネクタの引き抜き作業を示す図であって、（ａ）から（ｃ）はそれぞれ斜視図である。
【発明を実施するための形態】
【００１５】
以下、本発明に係るコネクタの引き抜き治具の実施の形態の例を、図面を参照して説明する。なお、コネクタとして、光コネクタを例示して説明する。
まず、本実施形態に係る引き抜き治具が用いられる光コネクタについて説明する。
【００１６】
図１に示すように、光コネクタ（コネクタ）１０は、光ファイバケーブル（コード）１１の端部に設けられている。この光コネクタ１０は、光通信機器の光レセプタクル（図示省略）に対して着脱可能であり、この光コネクタ１０を、光コネクタ１０の前方側である挿し込み方向（図１中矢印Ａ方向）へ向かって光レセプタクルに挿し込むことにより、光ファイバケーブル１１が機器に接続される。
【００１７】
この光コネクタ１０が装着された光ファイバケーブル１１は、例えば２本の光ファイバ心線を有する２心ケーブルである。
光コネクタ１０は、合成樹脂製のハウジング２１を有している。このハウジング２１には、その後端にブーツ２２が形成されており、ハウジング２１の近傍における光ファイバケーブル１１が、ブーツ２２によって覆われて保護されている。
【００１８】
ハウジング２１には、その先端に、光配線盤等の機器の光レセプタクルに対して挿抜されるプラグ部２５が設けられている。ハウジング２１には、光ファイバケーブル１１の光ファイバ心線がそれぞれ接続されたフェルール２７が収容されており、これらのフェルール２７が、ハウジング２１のプラグ部２５の先端から突出されている。
【００１９】
ハウジング２１の上面には、ハウジング２１との連結箇所を基端として弾性変形可能な片持ち梁状のロックレバー３０が設けられている。ロックレバー３０は、爪部３０ａを有しており、この爪部３０ａが光レセプタクルに形成された係合部（図示省略）に係合することにより、光コネクタ１０の光レセプタクルからの脱落が防止される。このロックレバー３０には、操作部３１が設けられており、この操作部３１を押下することにより、ロックレバー３０が内側に押し下げられる。すると、光レセプタクルに対する爪部３０ａの係合状態が解除され、光レセプタクルからの光コネクタ１０の引き抜きが可能となる。
また、光コネクタ１０のハウジング２１には、その両側面からなる外面に、それぞれ突起３３が形成されている。
【００２０】
上記の光コネクタ１０は、そのプラグ部２５が光レセプタクルへ向けて光レセプタクルに挿し込まれる。すると、このプラグ部２５に設けられたフェルール２７の端面が、光レセプタクル側のフェルール（図示省略）の端面に当接されること等により、光コネクタ１０及び光ファイバケーブル１１を介して他の機器との光通信が可能となる。
【００２１】
次に、本実施形態に係る引き抜き治具について説明する。
図１から図４に示すように、引き抜き治具４１は、例えば、合成樹脂から一体成形されたものであり、使用時には、光コネクタ１０に対してその後方側から装着される。引き抜き治具４１は、その先端側が開口されており、この開口された部分が装着口４６とされている。そして、この引き抜き治具４１を光コネクタ１０の後方側から光コネクタ１０側へ移動させることにより、装着口４６から光コネクタ１０が嵌め込まれ、引き抜き治具４１が光コネクタ１０の外周に装着される。また、引き抜き治具４１には、光コネクタ１０への装着側と反対側である後方側に、光コネクタ１０が取り外される開口部４７を有しており、装着された光コネクタ１０を、引き抜き治具４１の開口部４７から取り外すことができるようになっている。
【００２２】
引き抜き治具４１は、上面板４２を有しており、この上面板４２の両側部に、側面板４３が設けられ、さらに、側面板４３の下縁に下面板４４が設けられている。
【００２３】
上面板４２は、先端側における内面側に、テーパ面部５１を有している。このテーパ面部５１は、光コネクタ１０への引き抜き治具４１の装着方向（図１中矢印Ｂ方向）と反対方向へ向かって次第に内方へ傾斜されている。これにより、光コネクタ１０へ引き抜き治具４１を装着させると、このテーパ面部５１が光コネクタ１０のロックレバー３０の操作部３１に摺接しながら、操作部３１を押下する。
【００２４】
また、上面板４２には、その後端側に、光コネクタ１０の光レセプタクルからの取り外し方向である後方へ向かって延在する把持部５２が形成されている。この把持部５２は、作業者に把持されるものであり、その後端近傍における上面側には、指でつまんで把持した際に、指に係止される突部５３が形成されている。
【００２５】
図４に示すように、下面板４４には、光コネクタ１０の光レセプタクルに対する挿抜方向に沿ってスリット５５が形成されており、光コネクタ１０の後端から延びる光ファイバケーブル１１が挿通可能とされている。これにより、引き抜き治具４１を図１中矢印Ｃ方向へ移動させてスリット５５に光ファイバケーブル１１を通すことにより、引き抜き治具４１を光コネクタ１０の後方側から光コネクタ１０に装着させることが可能となる。
【００２６】
また、下面板４４は、スリット５５を形成することで分割され、これらの分割された部分が、受け部４４ａとして機能する。これらの受け部４４ａは、光コネクタ１０へ引き抜き治具４１を装着させることにより、光コネクタ１０の外周に接触して、テーパ面部５１が光コネクタ１０のロックレバー３０の操作部３１を押下する際の反力を受けて支える。
【００２７】
また、引き抜き治具４１は、その先端側におけるそれぞれの側面板４３に、内方へ突出する係合爪５７を有している。これらの係合爪５７の上下には、切り込み部５８が形成されており、係合爪５７が容易に弾性変形可能とされている。これらの係合爪５７は、光コネクタ１０への引き抜き治具４１の装着方向（図１中矢印Ｂ方向）と反対方向へ向かって次第に内方へ傾斜されたテーパ面５７ａを有している。これにより、光コネクタ１０へ引き抜き治具４１を装着させる際に、このテーパ面５７ａが光コネクタ１０の両側面に形成された突起３３に摺接して弾性変形し、その後、突起３３を超えて復元する。そして、これらの係合爪５７が、光コネクタ１０のそれぞれの突起３３に係合する。
【００２８】
次に、上記の引き抜き治具４１によって光レセプタクルに接続されている光コネクタ１０を引き抜く方法について説明する。
図５（ａ）に示すように、まず、引き抜き治具４１のスリット５５に光ファイバケーブル１１を通して引き抜き治具４１内に光ファイバケーブル１１を配置させ、引き抜き治具４１を光コネクタ１０の後方に配置させる。
【００２９】
この状態から、引き抜き治具４１を光コネクタ１０側（図５（ａ）中矢印Ｂ方向）へ移動させることにより、装着口４６から引き抜き治具４１内に光コネクタ１０を挿入させ、図５（ｂ）に示すように、光コネクタ１０に、その後方側から装着させる。
【００３０】
このようにすると、上面板４２のテーパ面部５１が光コネクタ１０のロックレバー３０の操作部３１に摺接する。すると、ロックレバー３０の操作部３１は、テーパ面部５１のテーパに沿って押下されることとなり、光レセプタクルに対するロックレバー３０の爪部３０ａの係止が解除される。
このとき、テーパ面部５１が光コネクタ１０のロックレバー３０の操作部３１を押下する際の反力は、下面板４４からなる受け部４４ａによって確実に受け止められるので、操作部３１は確実に押下される。
【００３１】
また、引き抜き治具４１の係合爪５７のテーパ面５７ａが光コネクタ１０の突起３３に当接して摺接することにより、係合爪５７が一旦外側へ弾性変形され、突起３３を超えた時点で復元して内側へ変位する。これにより、これらの係合爪５７が、光コネクタ１０のそれぞれの突起３３に係合した状態となる。
【００３２】
この状態で、引き抜き治具４１の後方へ延在する把持部５２を指でつまんで把持し、光コネクタ１０の取り外し方向である後方へ引っ張る。
これにより、ロックレバー３０の爪部３０ａによる光レセプタクル側との係合が解除され、さらに、係合爪５７によって前方への移動が規制された光コネクタ１０を、引き抜き治具４１とともに後方へ移動させ、光レセプタクルから引き抜いて接続を解除させることができる。
【００３３】
その後、図５（ｃ）に示すように、引き抜き治具４１に対して光コネクタ１０を、係合爪５７によって移動が規制されている前方側と逆方向（図５（ｃ）中矢印Ｄ方向）である後方側へ移動させる。すると、光コネクタ１０を、引き抜き治具４１の後方側の開口部４７から円滑に取り出すことができる。
【００３４】
このように、本実施形態に係るコネクタの引き抜き治具４１によれば、光コネクタ１０に装着するだけで、ロックレバー３０の操作部３１がテーパ面部５１によって押下され、光レセプタクルに対するロックレバー３０の係止が解除される。このとき、テーパ面部５１が光コネクタ１０のロックレバー３０の操作部３１を押下する際の反力は、下面板４４からなる受け部４４ａが光コネクタ１０に接触して支えるので、操作部３１の押下が確実に行われる。このように、引き抜き治具４１を用いれば、ロックレバー３０の操作部３１を作業者の指で押下する必要がないので、光レセプタクルの周囲に、作業者がロックレバー３０の操作部３１を押下しながら光コネクタ１０を把持するためのスペースを確保する必要がなく、高密度実装が可能である。
【００３５】
また、引き抜き治具４１は、光コネクタ１０を光レセプタクルから引き抜くときだけに装着するものであるので、引き抜き治具が予め光コネクタに装着されているものと比較して、誤って引き抜き治具が配線に引っ掛かり、光コネクタ１０が光レセプタクルから意図せず離脱して通信不良や装置の動作に不具合が生じるようなこともない。つまり、必要なときだけ光コネクタ１０に対して省スペースで装着し、光レセプタクルとの係合状態を容易に解除させ、光レセプタクルから容易に取り外すことができる。
【００３６】
また、引き抜き治具４１は、光コネクタ１０の光レセプタクルからの取り外し方向へ延在する把持部５２を有しているので、高密度実装により、周囲に他の光コネクタ１０が配置されていても、把持部５２を把持して引っ張ることで、所定の光コネクタ１０を光レセプタクルから容易に取り外すことができる。
【００３７】
なお、把持部５２は、必ずしも一体成形によって設ける必要はなく、例えば、紐状の把持部５２を上面板４２に連結しても良い。
また、上記の実施形態では、引き抜き治具４１で引き抜くコネクタとして、光コネクタ１０を例示したが、引き抜き治具４１で引き抜くコネクタは、光コネクタに限らず、電線に接続される電気コネクタであってもよい。
【符号の説明】
【００３８】
１０：光コネクタ（コネクタ）、１１：光ファイバケーブル（コード）、３０：ロックレバー、３１：操作部、３３：突起、４１：引き抜き治具、４４ａ：受け部、４７：開口部、５１：テーパ面部、５２：把持部、５５：スリット、５７：係合爪
【図１】
2013007938.tif 000003
【図２】
2013007938.tif 000004
【図３】
2013007938.tif 000005
【図４】
2013007938.tif 000006
【図５】
2013007938.tif 000007